(57)【要約】【課題】スピーカにおいて、被取付体への取付けに必要なスペースを小さくする。【解決手段】スピーカ１は、スピーカ本体１０と、スピーカ本体１０を被取付体（例えばテレビジョン受像機等の電子機器装置の筐体）に取付けるための取付部３０とを備える。スピーカ１は、取付部３０の嵌込孔３０ｏが被取付体の突出部に嵌込まれて、被取付体に取付けられる。取付部３０は、金属板によりスピーカ本体１０のフレーム１４と一体的に形成されており、フレーム１４の側端（スピーカ本体１０の側端）からスピーカ本体１０の背後側に折り曲げられた後方延出部３１と、後方延出部３１からスピーカ本体１０の内側に折り曲げられた内方延出部３２とを有する。内方延出部３２の一部が、スピーカ本体１０の背後側において、スピーカ本体１０に重なっている。内方延出部３２に、嵌込孔３０ｏが設けられている。【選択図】図２
2013070160.tif 000002
【特許請求の範囲】
【請求項１】
永久磁石、ボイスコイル、及び振動板がフレームに支持された構成のスピーカ本体と、このスピーカ本体を被取付体に取付けるための取付部とを備え、
前記取付部に設けられた嵌込孔が前記被取付体に設けられた突出部に嵌込まれて、前記被取付体に取付けられるスピーカにおいて、
前記取付部は、その少なくとも一部が前記スピーカ本体の背後側において前記スピーカ本体に重なるように設けられている、ことを特徴とするスピーカ。
【請求項２】
前記スピーカ本体を前記被取付体に取付けるために用いる付属部品として、前記スピーカ本体の正面側の部位と前記被取付体との間に介在される取付用スポンジをさらに備える、ことを特徴とする請求項１に記載のスピーカ。
【請求項３】
前記スピーカ本体を前記被取付体に取付けるために用いる付属部品として、前記取付部に設けられた嵌込孔と前記被取付体に設けられた突出部との間に介在される取付用ゴムをさらに備える、ことを特徴とする請求項１に記載のスピーカ。
【請求項４】
前記取付部は、
金属板により形成されており、
前記スピーカ本体の背後側に延出する後方延出部と、
折り曲げによる折り目のラインが前記後方延出部の延出方向と平行となるように、前記後方延出部から前記スピーカ本体の内側に折り曲げられて、前記スピーカ本体の背後側において前記スピーカ本体の内側に延出する内方延出部とを有し、
前記内方延出部の少なくとも一部が前記スピーカ本体の背後側において前記スピーカ本体に重なり、
前記内方延出部に前記嵌込孔が設けられている、ことを特徴とする請求項１乃至請求項３のいずれか一項に記載のスピーカ。
【請求項５】
前記フレームは、金属板により形成されており、
前記取付部は、
前記金属板により前記フレームと一体的に形成されており、
前記フレームから前記スピーカ本体の背後側に折り曲げられて、前記スピーカ本体の背後側に延出する後方延出部と、
折り曲げによる折り目のラインが前記後方延出部の延出方向と平行となるように、前記後方延出部から前記スピーカ本体の内側に折り曲げられて、前記スピーカ本体の背後側において前記スピーカ本体の内側に延出する内方延出部とを有し、
前記内方延出部の少なくとも一部が前記スピーカ本体の背後側において前記スピーカ本体に重なり、
前記内方延出部に前記嵌込孔が設けられている、ことを特徴とする請求項１乃至請求項３のいずれか一項に記載のスピーカ。
【請求項６】
前記スピーカ本体は、該スピーカ本体の背後側から正面側に向かって該スピーカ本体の中心を通る直線を中心線とし、該中心線を回転軸とした１８０度の回転について、回転対称な形状に構成されており、
前記取付部は、一対のものがあり、
前記一対の取付部の各々に前記嵌込孔が設けられており、
前記一対の取付部は、本スピーカの所定の第１の姿勢において、前記一対の取付部の各々に設けられた前記嵌込孔が前記被取付体に設けられた一対の突出部に嵌込まれ得ると共に、本スピーカを前記第１の姿勢に対して前記中心線を回転軸として１８０度回転させた本スピーカの第２の姿勢においても、前記一対の取付部の各々に設けられた前記嵌込孔が前記被取付体に設けられた一対の突出部に嵌込まれ得る、ように構成されている、ことを特徴とする請求項１乃至請求項５のいずれか一項に記載のスピーカ。
【発明の詳細な説明】
【技術分野】
【０００１】
本発明は、例えばテレビジョン受像機等の電子機器装置に搭載され、電気信号を音に変換して出力するスピーカに関するものである。
【背景技術】
【０００２】
従来から、スピーカにおいて、図５（ａ）（ｂ）、図６（ａ）（ｂ）、図７（ａ）（ｂ）に示す構成のものが知られている。このスピーカ８０は、スピーカ本体８１を被取付体９０に取付けるための取付部８２を備えており、取付部８２に設けられた嵌込孔８２ｏを被取付体９０に設けられた突出部９１に嵌込むことにより、被取付体９０に取付けられる。被取付体９０は、例えばテレビジョン受像機等の電子機器装置の筐体である。
【０００３】
スピーカ８０は、スピーカ本体８１の正面側を被取付体９０の前壁９２に設けられた通音部９２ｏに対向させた姿勢で、被取付体９０に取付けられる。スピーカ本体８１の正面側の部位と被取付体９０の前壁９２との間には、取付用厚紙８７及び取付用スポンジ８８が介在される。取付用スポンジ８８は、取付用厚紙８７と被取付体９０の前壁９２との間に介在されて、スピーカ本体８１によって取付用厚紙８７を介して前壁９２に押付けられる。また、取付部８２に設けられた嵌込孔８２ｏと被取付体９０に設けられた突出部９１との間には、取付用ゴム８９が介在される。
【０００４】
取付部８２は、スピーカ本体８１の長手方向（図中矢印Ｘで示す方向と平行な方向）における両側端から、スピーカ本体８１の長手方向における外側に突出した位置に設けられている。取付部８２は、金属板によりスピーカ本体８１のフレーム８３と一体的に形成されており、側方延出部８４と、後方折曲部８５とを有する。側方延出部８４は、フレーム８３からスピーカ本体８１の長手方向における外側に延出している。後方折曲部８５は、側方延出部８４からスピーカ本体８１の背後側に折り曲げられている。すなわち、後方折曲部８５は、折り曲げによる折り目のラインがスピーカ本体８１の背後側から正面側に向かう方向（図中矢印Ｚで示す方向）と交差するように（スピーカ本体８１の長手方向と平行となるように）、側方延出部８４からスピーカ本体８１の背後側に９０度の折り曲げ角度で折り曲げられている。後方折曲部８５に嵌込孔８２ｏが設けられている。
【０００５】
また、金属板によりスピーカ本体のフレームと一体的に形成された取付部を備え、この取付部は、スピーカ本体の長手方向の両側端からスピーカ本体の長手方向における外側に折り曲げられて、スピーカ本体の長手方向における外側に延出する部分を有し、この外側に延出する部分に、スピーカ本体を被取付体に取付けるための孔を設けたスピーカが知られている（例えば特許文献１及び特許文献２参照）。
【先行技術文献】
【特許文献】
【０００６】
【特許文献１】特開２０１１−１９１７０号公報
【特許文献２】特開２００８−２５８７５３号公報
【発明の概要】
【発明が解決しようとする課題】
【０００７】
ところで、上述した従来のスピーカ８０においては、取付部８２は、スピーカ本体８１の長手方向における両側端から、スピーカ本体８１の長手方向における外側に突出した位置に設けられている。このため、スピーカ８０の長手方向のサイズが大きくなってしまう。その結果、スピーカ８０を搭載する電子機器装置の設計の自由度が低く、スピーカ８０を搭載する電子機器装置のデザイン性を向上するのが困難であった。
【０００８】
また、取付部８２における嵌込孔８２ｏの設けられている後方折曲部８５は、折り曲げによる折り目のラインがスピーカ本体８１の背後側から正面側に向かう方向と交差するように、折り曲げられている。このため、後方折曲部８５の折り曲げ精度が悪くて、後方折曲部８５の折り曲げ角度が適正な角度（９０度）からずれている場合や、スピーカ８０を被取付体９０に取付けるときに不要な力が加わって、後方折曲部８５の折り曲げ角度が適正な角度から変化してしまった場合には、スピーカ本体８１は、スピーカ本体８１の背後側から正面側に向かう方向が被取付体９０の前壁９２に対して垂直とならない不適正な姿勢で、被取付体９０に取付けられてしまう。このような不適正な姿勢でスピーカ本体８１が被取付体９０に取付けられてしまうと、被取付体９０の前壁９２と取付用スポンジ８８との間に隙間ができたり、取付用スポンジ８８が不均一な力で被取付体９０の前壁９２に押付けられることになり、その結果、スピーカ８０から出力される音質や音圧が劣化してしまう。なお、上述した特許文献１及び特許文献２に開示の内容を適用したとしても、上記の問題を解決することはできない。
【０００９】
本発明は、上記課題を解決するためになされたものであり、被取付体への取付けに必要なスペースを小さくすることができるスピーカを提供することを目的とする。
【課題を解決するための手段】
【００１０】
上記目的を達成するために請求項１の発明は、永久磁石、ボイスコイル、及び振動板がフレームに支持された構成のスピーカ本体と、このスピーカ本体を被取付体に取付けるための取付部とを備え、取付部に設けられた嵌込孔が被取付体に設けられた突出部に嵌込まれて、被取付体に取付けられるスピーカにおいて、取付部は、その少なくとも一部がスピーカ本体の背後側においてスピーカ本体に重なるように設けられているものである。
【００１１】
請求項２の発明は、請求項１に記載のスピーカにおいて、スピーカ本体を被取付体に取付けるために用いる付属部品として、スピーカ本体の正面側の部位と被取付体との間に介在される取付用スポンジをさらに備えるものである。
【００１２】
請求項３の発明は、請求項１に記載のスピーカにおいて、スピーカ本体を被取付体に取付けるために用いる付属部品として、取付部に設けられた嵌込孔と被取付体に設けられた突出部との間に介在される取付用ゴムをさらに備えるものである。
【００１３】
請求項４の発明は、請求項１乃至請求項３のいずれか一項に記載のスピーカにおいて、取付部は、金属板により形成されており、スピーカ本体の背後側に延出する後方延出部と、折り曲げによる折り目のラインが後方延出部の延出方向と平行となるように、後方延出部からスピーカ本体の内側に折り曲げられて、スピーカ本体の背後側においてスピーカ本体の内側に延出する内方延出部とを有し、内方延出部の少なくとも一部がスピーカ本体の背後側においてスピーカ本体に重なり、内方延出部に嵌込孔が設けられているものである。
【００１４】
請求項５の発明は、請求項１乃至請求項３のいずれか一項に記載のスピーカにおいて、フレームは、金属板により形成されており、取付部は、金属板によりフレームと一体的に形成されており、フレームからスピーカ本体の背後側に折り曲げられて、スピーカ本体の背後側に延出する後方延出部と、折り曲げによる折り目のラインが後方延出部の延出方向と平行となるように、後方延出部からスピーカ本体の内側に折り曲げられて、スピーカ本体の背後側においてスピーカ本体の内側に延出する内方延出部とを有し、内方延出部の少なくとも一部がスピーカ本体の背後側においてスピーカ本体に重なり、内方延出部に嵌込孔が設けられているものである。
【００１５】
請求項６の発明は、請求項１乃至請求項５のいずれか一項に記載のスピーカにおいて、スピーカ本体は、該スピーカ本体の背後側から正面側に向かって該スピーカ本体の中心を通る直線を中心線とし、該中心線を回転軸とした１８０度の回転について、回転対称な形状に構成されており、取付部は、一対のものがあり、一対の取付部の各々に嵌込孔が設けられており、一対の取付部は、本スピーカの所定の第１の姿勢において、一対の取付部の各々に設けられた嵌込孔が被取付体に設けられた一対の突出部に嵌込まれ得ると共に、本スピーカを第１の姿勢に対して中心線を回転軸として１８０度回転させた本スピーカの第２の姿勢においても、一対の取付部の各々に設けられた嵌込孔が被取付体に設けられた一対の突出部に嵌込まれ得る、ように構成されているものである。
【発明の効果】
【００１６】
請求項１乃至請求項３の発明によれば、取付部の少なくとも一部がスピーカ本体の背後側においてスピーカ本体に重なるように設けられているため、スピーカのサイズを小型化することができ、被取付体への取付けに必要なスペースを小さくすることができる。これにより、スピーカを搭載する電子機器装置の設計の自由度が高まり、スピーカを搭載する電子機器装置のデザイン性を向上することができる。
【００１７】
請求項４及び請求項５の発明によれば、取付部における嵌込孔の設けられている内方延出部は、折り曲げによる折り目のラインが後方延出部の延出方向（すなわち、スピーカ本体の背後側から正面側に向かう方向）と平行となるように、折り曲げられている。このため、内方延出部の折り曲げ精度が悪くて、内方延出部の折り曲げ角度が適正な角度からずれている場合や、内方延出部の嵌込孔を被取付体の突出部に嵌込むときに不要な力が加わって、内方延出部の折り曲げ角度が適正な角度から変化してしまった場合でも、スピーカ本体は、スピーカ本体の背後側から正面側に向かう方向が適正な方向となる適正な姿勢で、被取付体に取付けられる。これにより、スピーカ本体の正面側の部位と被取付体との間に取付用スポンジが介在される構成において、取付用スポンジを均一な力で被取付体に押付けることができて、スピーカから出力される音質や音圧の劣化を防ぐことができ、安定した音質や音圧を確保することができる。
【００１８】
請求項６の発明によれば、電子機器装置に左右２つのスピーカを搭載する場合に、これらのスピーカとして同種のスピーカを用いることができる。
【図面の簡単な説明】
【００１９】
【図１】（ａ）は本発明の一実施形態に係るスピーカ及び被取付体の概略構成を示す、スピーカを被取付体に取付けた状態の斜視図、（ｂ）は同スピーカを被取付体から取外した状態の斜視図。
【図２】（ａ）は同スピーカの背後側から見た斜視図、（ｂ）は同スピーカの背後側から見た分解斜視図。
【図３】（ａ）は同スピーカの正面側から見た斜視図、（ｂ）は同スピーカの正面側から見た分解斜視図。
【図４】（ａ）は同スピーカの背後側から見た分平面図、（ｂ）は同スピーカの側面図、（ｃ）は同スピーカの別の方向から見た側面図。
【図５】（ａ）は従来のスピーカ及び被取付体の概略構成を示す、スピーカを被取付体に取付けた状態の斜視図、（ｂ）は同スピーカを被取付体から取外した状態の斜視図。
【図６】（ａ）は同スピーカの背後側から見た斜視図、（ｂ）は同スピーカの正面側から見た分解斜視図。
【図７】（ａ）は同スピーカの正面側から見た斜視図、（ｂ）は同スピーカの正面側から見た分解斜視図。
【発明を実施するための形態】
【００２０】
以下、本発明を具体化した実施形態によるスピーカについて図面を参照して説明する。図１（ａ）（ｂ）、図２（ａ）（ｂ）、図３（ａ）（ｂ）、図４（ａ）（ｂ）（ｃ）は、本実施形態によるスピーカの構成を示す。スピーカ１は、例えばテレビジョン受像機等の電子機器装置に搭載され、電気信号を音に変換して出力する装置である。スピーカ１は、被取付体７０に取付けられて、電子機器装置に搭載される。被取付体７０は、例えば電子機器装置の筐体である。
【００２１】
スピーカ１は、電気信号を音に変換して出力するためのスピーカ本体１０と、音に変換する電気信号を入力するための電気信号入力部２０と、スピーカ本体１０を被取付体７０に取付けるための一対の取付部３０（３０ａ、３０ｂ）とを備える。
【００２２】
スピーカ本体１０は、永久磁石１１と、ボイスコイル１２と、振動板１３と、フレーム１４とを有しており、永久磁石１１、ボイスコイル１２、及び振動板１３がフレーム１４に支持された構成になっている。
【００２３】
フレーム１４は、金属板により形成されている。フレーム１４は、振動板１３を囲む形状に形成されており、振動板１３は、フレーム１４に囲まれた空間内に配置されている。フレーム１４には、振動板１３の振動により発生した音をスピーカ１の外部に放つための放音口１４ｏが形成されている。放音口１４ｏは、振動板１３の正面側に設けられており、振動板１３の正面側が放音口１４ｏに臨んでいる。永久磁石１１、ボイスコイル１２は、振動板１３の背後側に設けられている。振動板１３の振動により発生した音は、放音口１４ｏからスピーカ１の外部に放たれる。
【００２４】
スピーカ本体１０において、放音口１４ｏの設けられている側（振動板１３が放音口１４ｏに臨んでいる側であって、振動板１３の振動により発生した音が放音口１４ｏから放たれる側）がスピーカ本体１０の正面側であり、スピーカ本体１０の正面側と反対側（永久磁石１１の設けられている側）がスピーカ本体１０の背後側である。スピーカ本体１０の正面側の表面（フレーム１４の正面側の表面）は、平面状に形成されており、スピーカ本体１０の背後側から正面側に向かう方向に対して垂直な平面になっている。図中矢印Ｚで示す方向が、スピーカ本体１０の背後側から正面側に向かう方向である。
【００２５】
スピーカ本体１０は、スピーカ本体１０の背後側から正面側に向かう方向に垂直な面内において、長手方向、及び短手方向を有する形状に構成されている。すなわち、スピーカ本体１０は、スピーカ本体１０の背後側から正面側に向かう方向に垂直な面内において、ある方向（長手方向）に長いと共にその方向と直交する方向（短手方向）に短い形状に構成されている。図中矢印Ｘで示す方向と平行な方向が、スピーカ本体１０の長手方向であり、図中矢印Ｙで示す方向と平行な方向が、スピーカ本体１０の短手方向である。
【００２６】
また、スピーカ本体１０は、スピーカ本体１０の背後側から正面側に向かってスピーカ本体１０の中心を通る直線を中心線Ｃとすると、中心線Ｃを回転軸とした１８０度の回転について、回転対称な形状に構成されている。
【００２７】
電気信号入力部２０は、導電性の入力端子２１が絶縁性の端子台２２に設けられた構成になっており、フレーム１４に取付けられている。電気信号入力部２０は、スピーカ本体１０の背後側において、スピーカ本体１０の長手方向における永久磁石１１の側方に配置されている。入力端子２１とボイスコイル１２との間には、音に変換する電気信号を入力端子２１からボイルコイル１２に伝達するための伝達用電気信号線（不図示）が接続されている。入力端子２１には、音に変換する電気信号をスピーカ１に入力するための入力用電気信号線（不図示）が接続される。
【００２８】
取付部３０ａは、スピーカ本体１０の長手方向における一方側の側端に設けられており、取付部３０ｂは、スピーカ本体１０の長手方向における他方側の側端に設けられている。取付部３０ａ、３０ｂは、各々、その一部がスピーカ本体１０の背後側において、スピーカ本体１０に重なるように設けられている。取付部３０ａ、３０ｂには、各々、被取付体７０に設けられた突出部７１に嵌込むための嵌込孔３０ｏが設けられている。
【００２９】
取付部３０ａ、３０ｂは、各々、後方延出部３１と、内方延出部３２とを有する。後方延出部３１は、スピーカ本体１０の長手方向におけるフレーム１４の側端からスピーカ本体１０の背後側に延出している。内方延出部３２は、スピーカ本体１０の背後側において、後方延出部３１からスピーカ本体１０の内側に延出している。内方延出部３２の一部が、スピーカ本体１０の背後側において、スピーカ本体１０に重なっている。内方延出部３２に、嵌込孔３０ｏが設けられている。
【００３０】
後方延出部３１及び内方延出部３２（すなわち、取付部３０ａ、３０ｂ）は、金属板によりフレーム１４と一体的に形成されている。後方延出部３１は、スピーカ本体１０の長手方向におけるフレーム１４の側端からスピーカ本体１０の背後側に９０度の折り曲げ角度で折り曲げられて形成されている。内方延出部３２は、折り曲げによる折り目のラインが後方延出部３１の延出方向（すなわち、スピーカ本体１０の背後側から正面側に向かう方向）と平行となるように、後方延出部３１からスピーカ本体１０の内側に９０度の折り曲げ角度で折り曲げられて形成されている。
【００３１】
取付部３０ａの嵌込孔３０ｏと取付部３０ｂの嵌込孔３０ｏは、スピーカ本体１０の背後側から正面側に向かう方向と平行な方向に関して、スピーカ本体１０の正面（フレーム１４の正面）からの距離が等しい位置に設けられている。また、取付部３０ａの嵌込孔３０ｏと取付部３０ｂの嵌込孔３０ｏは、スピーカ本体１０の長手方向に関して、対称な位置に設けられている。すなわち、取付部３０ａの嵌込孔３０ｏと取付部３０ｂの嵌込孔３０ｏは、スピーカ本体１０の長手方向に関して、スピーカ本体１０の背後側から正面側に向かってスピーカ本体１０の中心を通る中心線Ｃからの距離が等しい位置に設けられている。また、取付部３０ａの嵌込孔３０ｏと取付部３０ｂの嵌込孔３０ｏは、共に、スピーカ本体１０の短手方向に関して、スピーカ本体１０の短手方向におけるセンター位置に設けられている。
【００３２】
従って、取付部３０ａの嵌込孔３０ｏと取付部３０ｂの嵌込孔３０ｏは、スピーカ本体１０の背後側から正面側に向かってスピーカ本体１０の中心を通る中心線Ｃを回転軸とした１８０度の回転について、回転対称な位置に設けられている。
【００３３】
ここで、被取付体７０について説明する。被取付体７０は、一対の突出部７１（７１ａ、７１ｂ）と、底壁７２と、前壁７３とを備える。上述のように、被取付体７０は、例えば電子機器装置の筐体である。一対の突出部７１（７１ａ、７１ｂ）、底壁７２、及び前壁７３は、樹脂により一体的に形成されている。
【００３４】
前壁７３は、底壁７２から垂直に立ち上がっている。前壁７３には、スピーカ１から放たれた音を通すための多数の微細孔から成る通音部７３ｏが形成されている。通音部７３ｏは、通音部７３ｏの中心から底壁７２までの距離がスピーカ本体１０の中心からスピーカ本体１０（フレーム１４）の短手方向の端縁までの距離と等しくなるように形成されている。
【００３５】
突出部７１ａ、７１ｂは、各々、底壁７２から垂直に突出している。すなわち、突出部７１ａ、７１ｂは、互いに平行に延びており、また、前壁７３とも平行に延びている。突出部７１ａと突出部７１ｂとの間隔は、スピーカ１の取付部３０ａの嵌込孔３０ｏと取付部３０ｂの嵌込孔３０ｏとの間隔と等しく、突出部７１ａ、７１ｂの長さ（底壁７２から先端までの距離）は、スピーカ本体１０の短手方向のいずれの端縁から取付部３０ａ、３０ｂの嵌込孔３０ｏまでの距離よりも長い。
【００３６】
また、突出部７１ａ、７１ｂは、前壁７３に平行に並んで設けられており、前壁７３に垂直な方向に関して、前壁７３からの距離が等しい位置に設けられている。また、突出部７１ａ、７１ｂは、突出部７１ａ、７１ｂの並び方向（底壁７２と前壁７３の両方に平行な方向）に関して、通音部７３ｏの位置を基準として、対称な位置に設けられている。すなわち、突出部７１ａと突出部７１ｂは、突出部７１ａ、７１ｂの並び方向に関して、前壁７３に垂直に通音部７３ｏの中心を通る直線Ｆからの距離が等しい位置に設けられている。
【００３７】
スピーカ１は、スピーカ本体１０の正面側を被取付体７０の前壁７３（通音部７３ｏ）に対向させた姿勢で、取付部３０ａ、３０ｂの嵌込孔３０ｏが被取付体７０の突出部７１に嵌込まれて、被取付体７０に取付けられる。
【００３８】
上記取付部３０ａ、３０ｂの嵌込孔３０ｏの構成、及び上記突出部７１ａ、７１ｂの構成により、取付部３０ａ、３０ｂの嵌込孔３０ｏは、スピーカ１の姿勢が異なる第１、第２の２通りの嵌込み方で、被取付体７０の突出部７１ａ、７１ｂに嵌込むことが可能になっている。
【００３９】
第１の嵌込み方は、取付部３０ａの嵌込孔３０ｏを被取付体７０の突出部７１ａに嵌込むと共に、取付部３０ｂの嵌込孔３０ｏを被取付体７０の突出部７１ｂに嵌込む嵌込み方である。この嵌込み方におけるスピーカ１の姿勢を第１の姿勢とする。第２の嵌込み方は、取付部３０ｂの嵌込孔３０ｏを被取付体７０の突出部７１ａに嵌込むと共に、取付部３０ａの嵌込孔３０ｏを被取付体７０の突出部７１ｂに嵌込む嵌込み方である。この嵌込み方におけるスピーカ１の姿勢を第２の姿勢とする。第２の姿勢は、スピーカ１を第１の姿勢に対して中心線Ｃを回転軸として１８０度回転させた姿勢である。
【００４０】
すなわち、一対の取付部３０ａ、３０ｂは、スピーカ１の第１の姿勢において、一対の取付部３０ａ、３０ｂの各々に設けられた嵌込孔３０ｏが被取付体７０に設けられた一対の突出部７１ａ、７１ｂに嵌込まれ得ると共に、スピーカ１を第１の姿勢に対して中心線Ｃを回転軸として１８０度回転させたスピーカ１の第２の姿勢において、一対の取付部３０ａ、３０ｂの各々に設けられた嵌込孔３０ｏが被取付体７０に設けられた一対の突出部７１ａ、７１ｂに嵌込まれ得る、ように構成されている。
【００４１】
また、スピーカ１は、スピーカ本体１０を被取付体７０に取付けるために用いる付属部品として、取付用厚紙４０と、取付用スポンジ５０と、取付用ゴム６０とを備える。
【００４２】
取付用厚紙４０、及び取付用スポンジ５０は、スピーカ１を被取付体７０に取付けたときに、スピーカ本体１０の正面側の部位（フレーム１４の正面側の部位）と被取付体７０の前壁７３との間に隙間を生じさせないように、スピーカ本体１０の正面側の部位（フレーム１４の正面側の部位）と被取付体７０の前壁７３との間に介在させる部材である。
【００４３】
取付用厚紙４０は、均一の厚みに形成されており、中央に開口４０ｏが形成されている。取付用厚紙４０は、開口４０ｏがフレーム１４の放音口１４ｏに合わさるように、スピーカ本体１０の正面側の部位（フレーム１４の正面側の部位）に接着されている。
【００４４】
取付用スポンジ５０は、均一の厚みに形成されており、中央に開口５０ｏが形成されている。取付用スポンジ５０は、開口５０ｏが取付用厚紙４０の開口４０ｏに合わさるように、取付用厚紙４０に接着されている。すなわち、取付用スポンジ５０は、開口５０ｏがフレーム１４の放音口１４ｏに合わさるように、取付用厚紙４０を介して、スピーカ本体１０の正面側の部位（フレーム１４の正面側の部位）に接着されている。
【００４５】
取付用厚紙４０、及び取付用スポンジ５０の厚みは、スピーカ１を被取付体７０に取付けたときに、取付用スポンジ５０がスピーカ本体１０によって取付用厚紙４０を介して被取付体７０の前壁７３に押付けられる寸法に設計されている。
【００４６】
取付用ゴム６０は、スピーカ１を被取付体７０に取付けたときに、取付部３０の嵌込孔３０ｏと被取付体７０の突出部７１との間に隙間を生じさせないように、取付部３０の嵌込孔３０ｏと被取付体７０の突出部７１との間に介在させる部材である。取付用ゴム６０は、円筒状に形成されており、貫通孔６０ｏが形成されている。取付用ゴム６０は、変形させることにより、取付部３０の嵌込孔３０ｏに着脱されるようになっている。
【００４７】
次に、スピーカ１の被取付体７０への取付方法について説明する。スピーカ１は、以下のようにして、被取付体７０に取付けられる。
【００４８】
まず、取付用ゴム６０を取付部３０の嵌込孔３０ｏに嵌込んで、取付用ゴム６０を取付部３０に取付ける。続いて、取付用ゴム６０を取付部３０に取付けた状態で、取付部３０の嵌込孔３０ｏを被取付体７０の突出部７１に嵌込む。すなわち、取付部３０に取付けられた取付用ゴム６０の貫通孔６０ｏを被取付体７０の突出部７１に嵌込む。このとき、スピーカ本体１０の正面側を被取付体７０の前壁７３（通音部７３ｏ）に対向させて、第１の姿勢又は第２の姿勢で、取付用スポンジ５０を被取付体７０の前壁７３に押し付けながら、取付部３０に取付けられた取付用ゴム６０の貫通孔６０ｏを被取付体７０の突出部７１に嵌込む。
【００４９】
そして、取付部３０に取付けられた取付用ゴム６０の貫通孔６０ｏを被取付体７０の突出部７１に嵌込んだ状態で、スピーカ１を底壁７２側に押し込んで、スピーカ本体１０（フレーム１４）の短手方向の端縁を被取付体７０の底壁７２に当接させる。これにより、スピーカ１が被取付体７０に取付けられる。スピーカ１は、このようにして、被取付体７０に取付けられる。
【００５０】
スピーカ１が被取付体７０に取付けられた状態では、スピーカ本体１０の正面側の部位（フレーム１４の正面側の部位）と被取付体７０の前壁７３との間に、取付用スポンジ５０が圧縮された状態で介在され、取付部３０に設けられた嵌込孔３０ｏと被取付体７０に設けられた突出部７１との間に、取付用ゴム６０が介在される。
【００５１】
なお、図１（ａ）（ｂ）では、スピーカ１を第１の姿勢で（取付部３０ａの嵌込孔３０ｏを突出部７１ａに嵌込むと共に、取付部３０ｂの嵌込孔３０ｏを突出部７１ｂに嵌込んで）被取付体７０に取付けた場合を図示している。スピーカ１を第２の姿勢で（取付部３０ｂの嵌込孔３０ｏを突出部７１ａに嵌込むと共に、取付部３０ａの嵌込孔３０ｏを突出部７１ｂに嵌込んで）被取付体７０に取付けた場合には、電気信号入力部２０の位置（及び向き）が、第１の姿勢で取付けた場合と逆になる。
【００５２】
このような構成のスピーカ１によれば、取付部３０の一部がスピーカ本体１０の背後側においてスピーカ本体１０に重なるように設けられているため、スピーカ１のサイズを小型化することができ、被取付体７０への取付けに必要なスペースを小さくすることができる。これにより、スピーカ１を搭載する電子機器装置の設計の自由度が高まり、スピーカ１を搭載する電子機器装置のデザイン性を向上することができる。
【００５３】
しかも、取付部３０における嵌込孔３０ｏの設けられている内方延出部３２は、折り曲げによる折り目のラインが後方延出部３１の延出方向（すなわち、スピーカ本体１０の背後側から正面側に向かう方向）と平行となるように、折り曲げられている。このため、内方延出部３２の折り曲げ精度が悪くて、内方延出部３２の折り曲げ角度が適正な角度（９０度）からずれている場合や、内方延出部３２の嵌込孔３０ｏを被取付体７０の突出部７１に嵌込むときに不要な力が加わって、内方延出部３２の折り曲げ角度が適正な角度から変化してしまった場合でも、スピーカ本体１０は、スピーカ本体１０の背後側から正面側に向かう方向が適正な方向（前壁７３に対して垂直な方向）となる適正な姿勢で、被取付体７０に取付けられる。これにより、取付用スポンジ５０を均一な力で被取付体７０の前壁７３に押付けることができて、スピーカ１から出力される音質や音圧の劣化を防ぐことができ、安定した音質や音圧を確保することができる。
【００５４】
また、スピーカ本体１０は、スピーカ本体１０の背後側から正面側に向かってスピーカ本体１０の中心を通る中心線Ｃを回転軸とした１８０度の回転について、回転対称な形状に構成されている。そして、一対の取付部３０ａ、３０ｂは、スピーカ１の所定の第１の姿勢において、一対の取付部３０ａ、３０ｂの各々に設けられた嵌込孔３０ｏが被取付体７０に設けられた一対の突出部７１ａ、７１ｂに嵌込まれ得ると共に、スピーカ１を第１の姿勢に対して中心線Ｃを回転軸として１８０度回転させた第２の姿勢において、一対の取付部３０ａ、３０ｂの各々に設けられた嵌込孔３０ｏが被取付体７０に設けられた一対の突出部７１ａ、７１ｂに嵌込まれ得る、ように構成されている。これにより、電子機器装置に左右２つのスピーカ１を搭載する場合に、スピーカ１を左右で共用することができる。すなわち、電子機器装置に左右２つのスピーカ１を搭載する場合に、これらのスピーカ１として同種のスピーカを用いることができる。
【００５５】
なお、本発明は、上記実施形態の構成に限られず、種々の変形が可能である。例えば、取付部は、樹脂により形成されたものがスピーカ本体のフレームに取付けられていてもよい。また、スピーカ本体のフレームは、樹脂により形成されていてもよい。この場合、取付部は、樹脂によりフレームと一体的に形成されていてもよいし、金属板により形成されたものがフレームに取付けられていてもよい。
【００５６】
また、取付用スポンジは、被取付体の一部として、被取付体の前壁に接着されていてもよい。この場合、取付用厚紙は、スピーカ本体の正面側の部位（フレームの正面側の部位）に接着されていてもよいし、被取付体の一部として、被取付体の前壁に接着された取付用スポンジに接着されていてもよい。また、取付用厚紙は、設けられていなくてもよい。この場合、取付用スポンジは、スピーカ本体の正面側の部位（フレームの正面側の部位）に直接に接着されていてもよいし、被取付体の一部として、被取付体の前壁に接着されていてもよい。また、取付用ゴムは、被取付体の一部として、被取付体の突出部に設けられていてもよい。この場合、取付用ゴムは、突出部の一部として、突出部と一体的に形成されていてもよい。また、被取付体は、電子機器装置の筐体とは別体に構成されたものであってもよい。
【符号の説明】
【００５７】
１    スピーカ
１０    スピーカ本体
１１    永久磁石
１２    ボイスコイル
１３    振動板
１４    フレーム
１４ｏ    放音口
２０    電気信号入力部
２１    入力端子
２２    端子台
３０、３０ａ、３０ｂ    取付部
３０ｏ    嵌込孔
３１    後方延出部
３２    内方延出部
４０    取付用厚紙
４０ｏ    開口
５０    取付用スポンジ
５０ｏ    開口
６０    取付用ゴム
６０ｏ    貫通孔
７０    被取付体
７１、７１ａ、７１ｂ    突出部
７２    底壁
７３    前壁
７３ｏ    通音部
【図１】
2013070160.tif 000003
【図２】
2013070160.tif 000004
【図３】
2013070160.tif 000005
【図４】
2013070160.tif 000006
【図５】
2013070160.tif 000007
【図６】
2013070160.tif 000008
【図７】
2013070160.tif 000009